(57)【要約】【課題】  この発明は、光過敏性発作を引き起こすことなく、聴覚障害がある人にも火災発生を知らせて避難を促すことができる、フラッシュ光を用いた警報システムおよび警報装置を得ることを目的とする。【解決手段】  自動火災報知設備からの火災信号に基づいてフラッシュ発光する複数の警報装置を有する警報システムにおいて、避難経路毎に警報装置をグループ編成し、このグループ毎に、非常口から最も遠い警報装置、または、火災を感知した火災感知器と関連付けられた警報装置から、避難経路に沿ってその末端に位置する警報装置に向かって順にフラッシュ発光する動作を繰り返し、避難経路の末端に位置する非常口に向かって避難誘導するようにした。【選択図】図３
2014174595.tif 000002
【特許請求の範囲】
【請求項１】
火災発生時に火災感知手段からの火災感知信号に基づいて火災信号を出力する火災受信機と、該火災受信機からの前記火災信号に基づいて所定周期でフラッシュ発光する発光手段を有する複数の警報装置と、を具備する警報システムにおいて；
前記警報装置は、避難経路毎にグループ編成され、前記グループにおいて最初にフラッシュ発光を開始する警報装置を決定する発光起点設定手段と、自己がフラッシュ発光した後に所定の遅延時間で隣接する他の警報装置へフラッシュ発光を指令する発光指令信号を出力する発光指令出力手段と、隣接する他の警報装置からの前記発光指令信号を受信する発光指令受信手段と、前記所定の遅延時間を計時する計時手段と、前記発光手段を所定周期毎にフラッシュ発光させる制御手段と、前記グループ毎に前記火災受信機に接続されて前記火災信号を受信する火災信号受信手段と、を具備し、
前記所定の遅延時間は、前記発光指令信号出力元の警報装置がフラッシュ発光した後に、前記発光指令信号を受信した警報装置がフラッシュ発光するときに、連続して順に発光したと人が知覚できる時間差を有するように予め定められ、
前記グループにおいて最も非常口から遠い警報装置が、前記発光起点設定手段によって最初にフラッシュ発光を開始する警報装置に予め設定され、自己が最初にフラッシュ発光を開始する発光起点に設定された前記警報装置の前記火災信号受信手段が前記火災信号を受信した場合、前記所定周期毎にフラッシュ発光を開始するとともに、前記発光指令出力手段より前記所定の遅延時間の後に隣接する他の警報装置に対して前記発光指令信号を出力し、
前記発光起点設定手段によって自己が最初にフラッシュ発光を開始する発光起点に設定されていない前記警報装置の前記発光指令受信手段が前記発光指令信号を受信した場合、前記所定周期毎にフラッシュ発光を開始するとともに、前記所定の遅延時間の後に隣接する他の警報装置に対して前記発光指令信号を出力し、
前記発光指令信号の連鎖によって、前記グループにおいて最も非常口から遠い警報装置を開始点として隣接する警報装置が避難経路に沿ってその末端に位置する警報装置に向かって順にフラッシュ発光する動作を繰り返し、避難経路の末端に位置する非常口に向かって避難誘導することを特徴とする警報システム。
【請求項２】
前記警報装置は、それぞれが予め最も近い火災感知手段と関連付けられ、関連付けられた前記火災感知手段からの火災感知信号を有線信号または無線信号によって受信する火災感知信号受信手段をさらに備え、
前記発光起点設定手段は、最初にフラッシュ発光を開始する警報装置を、前記グループにおいて最も非常口から遠い警報装置に設定することに代えて、前記火災感知信号受信手段が前記火災感知信号を受信した警報装置に設定するようにし、
前記発光指令信号の連鎖によって、火災感知信号を発した火災感知手段に最も近い警報装置を開始点として隣接する警報装置が避難経路に沿ってその末端に位置する警報装置に向かって順にフラッシュ発光する動作を繰り返し、避難経路の末端に位置する非常口に向かって避難誘導することを特徴とする請求項１に記載の警報システム。
【請求項３】
前記警報装置は、自己がフラッシュ発光してから所定の時間が経過するまで自己のフラッシュ発光を禁止する発光禁止手段をさらに具備し、
前記制御手段は、前記発光禁止手段がフラッシュ発光を禁止していないときに前記発光手段を所定周期毎にフラッシュ発光させるように制御し、
前記発光起点設定手段によって自己が最初にフラッシュ発光を開始する発光起点に設定されていない前記警報装置の前記発光指令受信手段が前記発光指令信号を受信した場合、前記発光禁止手段がフラッシュ発光を禁止していないときに、前記所定周期毎にフラッシュ発光を開始するとともに、前記所定の遅延時間の後に隣接する他の警報装置に対して前記発光指令信号を出力することを特徴とする請求項１または２に記載の警報システム。
【請求項４】
火災発生時に火災感知手段からの火災感知信号に基づいて火災信号を出力する火災受信機からの前記火災信号に基づいて所定周期でフラッシュ発光する発光手段を有する警報装置であって；
自己が最初にフラッシュ発光を開始するか否かを決定する発光起点設定手段と、フラッシュ発光した後に所定の遅延時間で隣接する他の警報装置に対してフラッシュ発光を指令する発光指令信号を出力する発光指令出力手段と、隣接する他の警報装置からの前記発光指令信号を受信する発光指令受信手段と、前記所定の遅延時間を計時する計時手段と、前記発光手段を所定周期毎にフラッシュ発光させる制御手段と、前記火災受信機に接続されて前記火災信号を受信する火災信号受信手段と、を具備し、
前記所定の遅延時間は、発光指令信号出力元の警報装置がフラッシュ発光した後に、前記発光指令信号を受信した警報装置がフラッシュ発光するときに、連続して順に発光したと人が知覚できる時間差を有するように予め定められ、
前記発光起点設定手段によって自己が最初にフラッシュ発光を開始する発光起点に設定された場合は、前記火災信号受信手段が前記火災信号を受信したとき、前記所定周期毎にフラッシュ発光を開始し、前記所定の遅延時間の後に隣接する他の警報装置に対して前記発光指令信号を出力し、
前記発光起点設定手段によって自己が最初にフラッシュ発光を開始する発光起点に設定されていない場合は、前記発光指令信号受信手段が前記発光指令信号を受信したときに、前記所定周期毎にフラッシュ発光を開始し、前記所定の遅延時間の後に隣接する他の警報装置に対して前記発光指令信号を出力することを特徴とする警報装置。
【請求項５】
前記警報装置は、自己がフラッシュ発光してから所定の発光禁止時間が経過するまで自己のフラッシュ発光を禁止する発光禁止手段と、隣接する他の警報装置と互いに接続される前記発光指令出力手段と前記発光指令受信手段との共通の接続部と、を具備し、前記制御手段は前記発光禁止手段がフラッシュ発光を禁止していないときに前記発光手段を所定周期毎にフラッシュ発光を開始するように制御することを特徴とする請求項４に記載の警報装置。
【発明の詳細な説明】
【技術分野】
【０００１】
この発明は、火災等の非常事態発生時に避難を促す警報システムおよび警報装置に関し、特に光によって警報を発する警報システムおよび警報装置に関する。
【背景技術】
【０００２】
従来、自動火災報知設備は、所定の間隔で配設した警報用音響装置を所定の音量で鳴動させ、あるいは、連動動作させた非常放送設備によって音声メッセージを流し、火災発生を警報して避難を促すものであった。
【０００３】
しかしながら、火災等の非常事態発生時に避難するべき人に聴覚障害があるような場合、光等の聴覚以外の感覚に働きかけて非常事態を知らせる警報装置の普及が望まれている。そして、強烈な閃光を発するストロボ（登録商標）に代表されるエレクトロニック・フラッシュや、大光量のＬＥＤランプ、等を光源に用い、フラッシュ光を発する警報装置が実用化されている。
【先行技術文献】
【特許文献】
【０００４】
【特許文献１】特開平０８−１６１６７９号公報
【非特許文献】
【０００５】
【非特許文献１】http://www.hochiki.co.jp/webcatalog/pdf/hc_ssfa1208.pdf
【非特許文献２】http://www.saxa.co.jp/product/business/pdf/SHW-101.pdf
【発明の概要】
【発明が解決しようとする課題】
【０００６】
従来、平常時は消灯し、火災等の非常事態発生時にフラッシュ光を発する警報装置は、その発光周期を各警報装置自体で制御するものであった。そのような警報装置を、自動火災報知設備の警報用音響装置のように所定の間隔で多数設置し、火災発生時に同時に作動させると、多数の警報装置それぞれがバラバラのタイミングで発光する。このような人工的な強い光刺激は、人に光刺激性癲癇などの光過敏性発作を引き起こす場合があることが知られている（例えば、平成９年１２月１６日に某民間テレビ放送局が放送した、強い光刺激シーンのあるテレビアニメの視聴者が光過敏性発作などを起こした事件は大きく報道され、周知である）。
【０００７】
この発明は、光過敏性発作を引き起こすことなく、聴覚障害がある人にも火災等の非常事態発生を知らせて避難を促すことができる、フラッシュ光を用いた警報システムおよび警報装置を得ることを目的とする。
【課題を解決するための手段】
【０００８】
（１）この発明は、火災発生時に火災感知手段からの火災感知信号に基づいて火災信号を出力する火災受信機と、該火災受信機からの前記火災信号に基づいて所定周期でフラッシュ発光する発光手段を有する複数の警報装置と、を具備する警報システムにおいて、前記警報装置は、避難経路毎にグループ編成され、前記グループにおいて最初にフラッシュ発光を開始する警報装置を決定する発光起点設定手段と、自己がフラッシュ発光した後に所定の遅延時間で隣接する他の警報装置へフラッシュ発光を指令する発光指令信号を出力する発光指令出力手段と、隣接する他の警報装置からの前記発光指令信号を受信する発光指令受信手段と、前記所定の遅延時間を計時する計時手段と、前記発光手段を所定周期毎にフラッシュ発光させる制御手段と、前記グループ毎に前記火災受信機に接続されて前記火災信号を受信する火災信号受信手段と、を具備し、前記所定の遅延時間は、前記発光指令信号出力元の警報装置がフラッシュ発光した後に、前記発光指令信号を受信した警報装置がフラッシュ発光するときに、連続して順に発光したと人が知覚できる時間差を有するように予め定められ、前記グループにおいて最も非常口から遠い警報装置が、前記発光起点設定手段によって最初にフラッシュ発光を開始する警報装置に予め設定され、自己が最初にフラッシュ発光を開始する発光起点に設定された前記警報装置の前記火災信号受信手段が前記火災信号を受信した場合、前記所定周期毎にフラッシュ発光を開始するとともに、前記発光指令出力手段より前記所定の遅延時間の後に隣接する他の警報装置に対して前記発光指令信号を出力し、前記発光起点設定手段によって自己が最初にフラッシュ発光を開始する発光起点に設定されていない前記警報装置の前記発光指令受信手段が前記発光指令信号を受信した場合、前記所定周期毎にフラッシュ発光を開始するとともに、前記所定の遅延時間の後に隣接する他の警報装置に対して前記発光指令信号を出力し、前記発光指令信号の連鎖によって、前記グループにおいて最も非常口から遠い警報装置を開始点として隣接する警報装置が避難経路に沿ってその末端に位置する警報装置に向かって順にフラッシュ発光する動作を繰り返し、避難経路の末端に位置する非常口に向かって避難誘導することを特徴とする。
【０００９】
（２）また、この発明は、（１）において、前記警報装置は、それぞれが予め最も近い火災感知手段と関連付けられ、関連付けられた前記火災感知手段からの火災感知信号を有線信号または無線信号によって受信する火災感知信号受信手段をさらに備え、前記発光起点設定手段は、最初にフラッシュ発光を開始する警報装置を、前記グループにおいて最も非常口から遠い警報装置に設定することに代えて、前記火災感知信号受信手段が前記火災感知信号を受信した警報装置に設定するようにし、前記発光指令信号の連鎖によって、火災感知信号を発した火災感知手段に最も近い警報装置を開始点として隣接する警報装置が避難経路に沿ってその末端に位置する警報装置に向かって順にフラッシュ発光する動作を繰り返し、避難経路の末端に位置する非常口に向かって避難誘導することを特徴とする。
【００１０】
（３）また、この発明は、（１）、（２）において、前記警報装置は、自己がフラッシュ発光してから所定の時間が経過するまで自己のフラッシュ発光を禁止する発光禁止手段をさらに具備し、前記制御手段は、前記発光禁止手段がフラッシュ発光を禁止していないときに前記発光手段を所定周期毎にフラッシュ発光させるように制御し、前記発光起点設定手段によって自己が最初にフラッシュ発光を開始する発光起点に設定されていない前記警報装置の前記発光指令受信手段が前記発光指令信号を受信した場合、前記発光禁止手段がフラッシュ発光を禁止していないときに、前記所定周期毎にフラッシュ発光を開始するとともに、前記所定の遅延時間の後に隣接する他の警報装置に対して前記発光指令信号を出力することを特徴とする。
【００１１】
（４）また、この発明は、火災発生時に火災感知手段からの火災感知信号に基づいて火災信号を出力する火災受信機からの前記火災信号に基づいて所定周期でフラッシュ発光する発光手段を有する警報装置であって、自己が最初にフラッシュ発光を開始するか否かを決定する発光起点設定手段と、フラッシュ発光した後に所定の遅延時間で隣接する他の警報装置に対してフラッシュ発光を指令する発光指令信号を出力する発光指令出力手段と、隣接する他の警報装置からの前記発光指令信号を受信する発光指令受信手段と、前記所定の遅延時間を計時する計時手段と、前記発光手段を所定周期毎にフラッシュ発光させる制御手段と、前記火災受信機に接続されて前記火災信号を受信する火災信号受信手段と、を具備し、前記所定の遅延時間は、発光指令信号出力元の警報装置がフラッシュ発光した後に、前記発光指令信号を受信した警報装置がフラッシュ発光するときに、連続して順に発光したと人が知覚できる時間差を有するように予め定められ、前記発光起点設定手段によって自己が最初にフラッシュ発光を開始する発光起点に設定された場合は、前記火災信号受信手段が前記火災信号を受信したとき、前記所定周期毎にフラッシュ発光を開始し、前記所定の遅延時間の後に隣接する他の警報装置に対して前記発光指令信号を出力し、前記発光起点設定手段によって自己が最初にフラッシュ発光を開始する発光起点に設定されていない場合は、前記発光指令信号受信手段が前記発光指令信号を受信したときに、前記所定周期毎にフラッシュ発光を開始し、前記所定の遅延時間の後に隣接する他の警報装置に対して前記発光指令信号を出力することを特徴とする。
【００１２】
（５）また、この発明は、（４）において、前記警報装置は、自己がフラッシュ発光してから所定の発光禁止時間が経過するまで自己のフラッシュ発光を禁止する発光禁止手段と、隣接する他の警報装置と互いに接続される前記発光指令出力手段と前記発光指令受信手段との共通の接続部と、を具備し、前記制御手段は前記発光禁止手段がフラッシュ発光を禁止していないときに前記発光手段を所定周期毎にフラッシュ発光を開始するように制御することを特徴とする。
【発明の効果】
【００１３】
複数の警報装置が非常口に向かって順に流れるようにフラッシュ発光し、バラバラのタイミングでフラッシュ発光しないので光過敏性発作を引き起こすことなく、聴覚障害がある人にも火災発生を知らせて避難を促すことができるとともに、非常口に向かって視覚的に避難誘導することができるという効果を奏する。
【図面の簡単な説明】
【００１４】
【図１】本発明の実施の形態１に係る警報システムの構成図である。
【図２】本発明の実施の形態１に係る警報装置の構成図である。
【図３】本発明の実施の形態２に係る警報システムの構成図である。
【図４】本発明の実施の形態２に係る警報装置の構成図である。
【発明を実施するための形態】
【００１５】
［実施の形態１］
本発明の実施の形態１について、図１および図２に基づいて説明する。
【００１６】
まず、図１を参照して本実施の形態に係る警報システムの構成を説明する。
【００１７】
火災感知器２は、火災発生時に火災を感知する火災感知手段である。
【００１８】
火災感知器２と電路Ｌｓを介して接続された火災受信機１は、火災感知器２からの火災感知信号Ｄを受信し、この火災感知信号Ｄに基づいて火災判断を行い、火災と判断したときに、火災受信機１に備わる表示灯や音響装置等によって火災表示および火災音響警報を行う周知の火災受信機である。
【００１９】
火災感知器２と火災受信機１とを接続する電路Ｌｓは、図示したように火災感知器２の系統毎に個別の電路で接続するＰ型システムであっても良いし、多重伝送によって共通の電路で接続するＲ型システムであっても良い。火災受信機１が火災と判断したときは、電路Ｌｆを介して後述する警報装置３に向けて火災信号Ｆを送出するとともに、警報装置３へ電力を供給する。火災受信機１からの警報装置３への電力供給は、電路Ｌｆから送出される火災信号Ｆであっても良いし、別途専用の電源線（図示せず）を設けて警報装置３へ常時給電するようにしても良い。
【００２０】
警報装置３は、火災受信機１から送出される火災信号Ｆに基づいて所定周期でフラッシュ発光するものである。警報装置３は避難経路毎にグループ編成し、複数の警報装置３が間隔を空けて電路Ｌｆに並列接続されて配設される。なお、便宜上、それぞれの警報装置３を火災受信機１側から順に、警報装置３−１〜３−ｎ（ｎは自然数）と番号を付して区別する。
【００２１】
そして、隣接する警報装置３同士の、発光指令信号出力端子ＯＵＴａと発光指令信号入力端子ＩＮｂ、発光指令信号出力端子ＯＵＴｂと発光指令信号入力端子ＩＮａ、とを電気的に接続する。なお、避難経路の両端に位置する警報装置３、例えば図１において警報装置３−１および警報装置３−ｎは、隣接する警報装置３が１つしか存在しないので、２組の発光指令信号出力端子ＯＵＴａ、ＯＵＴｂおよび発光指令信号入力端子ＩＮａ、ＩＮｂのうち、１組だけが隣接する警報装置３と接続され、他の１組は接続せず使用しない。
【００２２】
次に、図２を参照して本実施の形態に係る警報装置３の構成を説明する。
【００２３】
警報装置３は、電路Ｌｆを介して火災受信機１からの火災信号Ｆを受信する受信手段である火災信号受信部３６を有し、電路Ｌｆと接続するための端子ＩＮｆを有する。
【００２４】
また、警報装置３は、火災信号受信部３６が火災受信機１からの火災信号Ｆを受信したときに発光部３１を所定周期でフラッシュ発光させる制御手段である制御部３２を有する。
【００２５】
また、警報装置３は、火災受信機１から電力の供給を受けて警報装置の各部に電力を供給する電源部３３を有する。本実施の形態では、電源部３３は電路Ｌｆを介して受信する火災信号Ｆより電力の供給を受けるようにしているが、別途専用の電源線を介して受電しても良いことは先に述べた通りである。
【００２６】
発光部３１には、強烈な閃光を発するストロボ（登録商標）に代表されるエレクトロニック・フラッシュ、あるいは、大光量のＬＥＤランプを用いることができる。なお、発光部３１に用いるデバイスはこれらに限定されるものではなく、光で警報するに足る一定以上の光量を発することができ、断続制御できる可視光の光源であれば良い。
【００２７】
発光部３１は、図示したように制御部３２を介して電力の供給を受けても良いし、電源部３３から直接電力の供給を受け（図示せず）、発光部３１を発光させるためのトリガ信号を制御部３２から受けるようにしても良い。後者の構成は、発光手段にエレクトロニック・フラッシュを用い、これに電源部３３から放電開始に至らない高電圧を予め印加しておき、このときのエレクトロニック・フラッシュを放電させて発光を開始させるトリガ電極に制御部３２からトリガ信号を送出する用途に適している。
【００２８】
警報装置３は、避難経路毎にグループ編成され、前記グループにおいて最初にフラッシュ発光を開始する警報装置３を決定する発光起点設定手段である発光起点設定部３５を有する。本実施の形態では、避難経路毎に編成したグループにおいて最も非常口から遠い警報装置３が、発光起点設定部３５によって最初にフラッシュ発光を開始するように設定される。
【００２９】
その設定の方法は、例えば、発光起点設定用スイッチを設け、その手動操作による。すなわち、発光起点に設定する警報装置３の発光起点設定用スイッチをＯＮし、前記グループに属する他の警報装置３の発光起点設定用スイッチをＯＦＦに設定する。そして、この発光起点設定用スイッチは外部から勝手に設定変更されないようにする。例えば、発光起点設定用スイッチを警報装置３の内部に設け、これを操作するための開口部を施錠するようにしても良い。また、発光起点設定用スイッチは、所定の専用キーによってのみ設定変更が可能なキースイッチとしても良い。また、発光起点設定の方法は、上記したような発光起点設定用スイッチに代えて、ジャンパピン等の他のハードウェアで設定するようにしても良いし、上記したようなハードウェアとしてのスイッチ等を用いず、専用の設定ツールを用いて不揮発性メモリをセットするようなソフトウェアによる設定としても良い。
【００３０】
警報装置３は、隣接する他の警報装置３から発光指令信号を受信する発光指令受信手段である発光指令受信部３８ａ、３８ｂを有し、それぞれの入力端子ＩＮａ、ＩＮｂを有する。また、警報装置３は、隣接する他の警報装置３へ発光指令信号を送出する発光指令出力手段である発光指令出力部３７ａ、３７ｂを有し、それぞれの出力端子ＯＵＴａ、ＯＵＴｂを有する。このように、発光指令受信部３８ａ、３８ｂ及びその入力端子ＩＮａ、ＩＮｂ、発光指令出力部３７ａ、３７ｂ及びその出力端子ＯＵＴａ、ＯＵＴｂをそれぞれ２組ずつ備えるのは、警報装置３が避難経路に沿って、前後に他の警報装置３が接続される場合があるからである。例えば、避難経路毎に火災受信機１側から末端の非常口に向かって、順番が前の警報装置３のＯＵＴｂ端子を次の順番の警報装置３のＩＮａ端子に、また、順番が前の警報装置３のＩＮｂ端子を次の順番の警報装置３のＯＵＴａ端子に、それぞれ接続するようにする等、ＩＮａとＯＵＴａ、または、ＩＮｂとＯＵＴｂとが隣接する同じ側の警報装置３へ接続するようにする。
【００３１】
また、警報装置３は、隣接する他の警報装置３からＩＮａまたはＩＮｂを介して発光指令受信部３８ａまたは３８ｂに発光指令信号が入力されると、制御部３２が発光部３１を発光開始させるまでの所定の遅延時間を計時する計時手段である計時部３４を有する。すなわち、計時部３４が所定の遅延時間を計時したときに、制御部３２は予め定められた所定周期で発光部３１のフラッシュ発光を開始するように制御する。
【００３２】
次に、図１、２を参照して、本実施の形態に係る警報システムの動作について説明する。
【００３３】
なお、ここでは仮に、警報装置３−２が発光起点設定部３５によって最初にフラッシュ発光を開始する警報装置に設定されているものとする。
【００３４】
火災発生時に火災感知器２が火災を感知すると、火災感知器２は電路Ｌｓを介して火災感知信号Ｄを火災受信機１へ送出する。そして、火災受信機１は、火災感知信号Ｄに基づいて火災判断を行い、火災と断定すると電路Ｌｆを介して、火災発生階やその直上階に属するグループの警報装置３−１、警報装置３−２、・・・警報装置３−ｎへ火災信号Ｆを送出する。なお、全てのグループの警報装置３へ火災信号Ｆを送出するようにして、全館に警報するようにしても良い。
【００３５】
火災信号Ｆを受信した警報装置３−２は、自己が最初にフラッシュ発光を開始する発光起点に設定されているので、所定周期毎にフラッシュ発光を開始する。警報装置３−２以外の警報装置３は、自己が最初にフラッシュ発光を開始する発光起点に設定されていないので、このときはフラッシュ発光を開始しない。
【００３６】
所定周期でフラッシュ発光を開始した警報装置３−２は、発光指令出力部３７ａ、３７ｂより発光指令信号出力端子ＯＵＴａ、ＯＵＴｂを介して、予め定められた所定の遅延時間の後に隣接する他の警報装置に対して発光指令信号を出力する。この所定の遅延時間は、フラッシュ発光に伴う電源変動によって警報装置３−２の動作が不安定となる期間を回避するとともに、後続してフラッシュ発光を開始させる隣接した警報装置３−１、警報装置３−３（図示せず）のフラッシュ発光開始までに所定の時間差を設けるものである。例えば、０．２秒〜１秒程度に設け、このように所定の遅延時間で出力される発光指令信号の連鎖によって、前記グループにおいて最も非常口から遠い警報装置３−２を開始点として隣接する警報装置３が避難経路に沿ってその末端に位置する警報装置３−１および３−ｎに向かって順にフラッシュ発光する動作を繰り返し、避難経路の末端に位置する非常口に向かって避難誘導する。
［実施の形態２］
本発明の実施の形態２について、図３および図４に基づいて説明する。
【００３７】
まず、図４を参照して本実施の形態に係る警報装置４の構成を説明する。実施の形態１に係る警報装置３と同じ構成には同一の符号を付して、その説明を省略する。
【００３８】
第１に警報装置４が警報装置３と異なる点は、警報装置４のそれぞれが予め最も近い火災感知器２と関連付けられ、関連付けられた火災感知器２からの火災感知信号ｄを受信する火災感知信号受信手段４１とその入力端子ＩＮｄとを備えたことにある。そして、これに伴い、避難経路毎のグループにおいて最も非常口から遠い警報装置３を最初にフラッシュ発光を開始するように設定する発光起点設定部３５に代えて、火災感知信号受信部４１が火災感知信号ｄを受信した警報装置４を最初にフラッシュ発光を開始するように設定する発光起点設定部４４としている。
【００３９】
第２に警報装置４が警報装置３と異なる点は、発光指令出力部３７ａの出力端子ＯＵＴａと発光指令受信部３８ａの入力端子ＩＮａとを共通の接続部である端子ＩＯａに、発光指令出力部３７ｂの出力端子ＯＵＴｂと発光指令受信部３８ｂの入力端子ＩＮｂとを共通の接続部である端子ＩＯｂに、それぞれ代えた点にある。そして、端子ＩＯａ、ＩＯｂを隣接する他の警報装置４の端子ＩＯｂ、ＩＯａと、それぞれ互いに電気的に接続するようにした。
【００４０】
これに伴い、自己がフラッシュ発光してから所定の発光禁止時間が経過するまで自己のフラッシュ発光を禁止する発光禁止手段としての発光禁止制御部４３を備えた。そして、制御部３２を、発光禁止制御部４３がフラッシュ発光を禁止しているときは、発光部３１を所定周期毎にフラッシュ発光させる制御を行わないように制御する制御部４２としている。また、この制御部４２は、発光禁止制御部４３がフラッシュ発光を禁止しているときは、隣接する他の警報装置４に対して発光指令出力部３７ａ、３７ｂから発光指令信号を出力しないようにしている。
【００４１】
なお、前記所定の発光禁止時間は、自己がフラッシュ発光をしてから隣接する他の警報装置４からの発光指令信号の出力が停止するまでの時間に若干のマージンを設けて予め設定しておく。このように発光禁止時間を設けることにより、自己が発光して、所定の遅延時間の後に出力する発光指令信号を自ら受信してフラッシュ発光してしまうことを防止できる。また、自己がフラッシュ発光して所定の遅延時間の後に出力した発光指令信号によってフラッシュ発光した隣接する警報装置４からの発光指令信号によって再びフラッシュ発光してしまうことを防止している。このようにして、最初にフラッシュ発光を開始する警報装置４から離れた警報装置４に向かって、順にフラッシュ発光を開始するように警報システム全体が制御される。
【００４２】
次に、図３を参照して本実施の形態に係る警報システムの構成を説明する。実施の形態１に係る警報システムと同じ構成には同一の符号を付して、その説明を省略する。
【００４３】
火災感知器２−１、２−２、・・・２−ｎ（ｎは自然数）は、火災発生時に火災を感知する火災感知手段であり、それぞれが最も近い警報装置４−１、４−２、・・・４−ｎと関連付けられている。そして、火災感知器２−１、２−２、・・・２−ｎのいずれかが火災を感知したとき、火災受信機１へ送出する火災感知信号Ｄの他に、火災感知信号ｄを警報装置４−１、４−２、・・・４−ｎのうちで関連付けられたものの火災感知信号入力端子ＩＮｄへと出力する。
【００４４】
そして、隣接する警報装置４同士の、発光指令信号入出力端子ＩＯａとＩＯｂとを電気的に接続する。なお、避難経路の両端に位置する警報装置４、例えば図３において警報装置４−１および警報装置４−ｎは、隣接する警報装置４が１つしか存在しないので、発光指令信号入出力端子ＩＯａ、ＩＯｂのうち、一方だけが隣接する警報装置４と接続され、他方は接続せず使用しない。
【００４５】
次に、図３、４を参照して、本実施の形態に係る警報システムの動作について説明する。
【００４６】
なお、ここでは仮に、火災感知器２−２が火災を感知したものとする。
【００４７】
火災感知器２−２が火災を感知すると、火災感知器２−２は電路Ｌｓを介して火災感知信号Ｄを火災受信機１へ送出するとともに、関連付けられた警報装置４−２へ火災感知信号ｄを出力する。火災感知信号ｄを火災感知信号入力端子ＩＮｄ、火災感知信号受信部４１を介して受信した警報装置４−２は、発光起点設定部４４によって、自己が最初にフラッシュ発光を開始する発光起点に設定される。
【００４８】
火災受信機１は、火災感知信号Ｄに基づいて火災判断を行い、火災と断定すると電路Ｌｆを介して、同一グループに編成された警報装置４−１、４−２、・・・４−ｎへ火災信号Ｆを送出する。
【００４９】
火災信号Ｆを火災信号入力端子ＩＮｆ、火災信号受信部３６を介して受信した警報装置４−２は、自己が最初にフラッシュ発光を開始する発光起点に設定されているので、所定周期毎にフラッシュ発光を開始する。警報装置４−２以外の警報装置４は、自己が最初にフラッシュ発光を開始する発光起点に設定されていないので、このときはフラッシュ発光を開始しない。
【００５０】
所定周期でフラッシュ発光を開始した警報装置４−２は、発光指令出力部３７ａ、３７ｂより発光指令信号入出力端子ＩＯａ、ＩＯｂを介して、予め定められた所定の遅延時間の後に隣接する他の警報装置４に対して発光指令信号を出力する。
【００５１】
この発光指令信号を発光指令信号入出力端子ＩＯａまたはＩＯｂ、発光指令受信部３８ａまたは３８ｂを介して受信した、警報装置４−２に隣接する警報装置４−１、４−３（図示せず）は、所定周期でフラッシュ発光を開始し、発光指令出力部３７ａ、３７ｂより発光指令信号入出力端子ＩＯａ、ＩＯｂを介して、予め定められた所定の遅延時間の後に隣接する他の警報装置４に対して発光指令信号を出力する。
【００５２】
そして、この発光指令信号の連鎖によって、火災感知信号ｄを発した火災感知器２に最も近い警報装置４を開始点として隣接する警報装置４が避難経路に沿ってその末端に位置する警報装置４に向かって順にフラッシュ発光する動作を繰り返し、避難経路の末端に位置する非常口に向かって避難誘導する。
【００５３】
なお、実施の形態２では、図示したように、火災感知器２−１、２−２、・・・２−ｎから関連付けられた警報装置４−１、４−２、・・・４−ｎへの火災感知信号ｄの出力を有線信号によっているが、これを無線信号によるものに代えても良い。
【００５４】
また、実施の形態１および２では、隣接する警報装置４との間の発光指令信号の授受を電気的接続によっているが、隣接する警報装置４のフラッシュ発光を受光し、前記所定の遅延時間の後にフラッシュ発光させるように制御しても良い。
【符号の説明】
【００５５】
１  火災受信機、  ２、２−１〜ｎ（ｎは自然数）  火災感知器、
３、３−１〜ｎ、４、４−１〜ｎ（ｎは自然数）  警報装置、
３１  発光部、  ３２、４２  制御部、  ３３  電源部、  ３４  計時部、
３５、４４  発光起点設定部、  ３６  火災信号受信部、
３７ａ、３７ｂ  発光指令出力部、  ３８ａ、３８ｂ  発光指令受信部、
４１  火災感知信号受信部、  ４３  発光禁止制御部、
ＩＮａ、ＩＮｂ  発光指令入力端子、  ＯＵＴａ、ＯＵＴｂ  発光指令出力端子、
ＩＮｄ  火災感知信号入力端子、  ＩＮｆ  火災信号入力端子、
ＩＯａ、ＩＯｂ  発光指令信号入出力端子、  Ｌｓ、Ｌｆ  電路
【図１】
2014174595.tif 000003
【図２】
2014174595.tif 000004
【図３】
2014174595.tif 000005
【図４】
2014174595.tif 000006